(57)【要約】【課題】トラス桁を利用して簡易の型枠支持装置により支持された型枠だけで上床版および必要に応じ下床版を容易に迅速に低コストで施工できる、箱桁橋構造およびその構築方法を提供する。【解決手段】箱桁橋において、箱桁でウェブとなる桁を、プレキャストコンクリート部材１を備えたトラス構造の複数のプレキャストコンクリート製ウェブユニット２を用いたトラス桁１７とし、複数のトラス桁１７を使用して、これらが橋軸方向に隣り合う橋脚または橋台２３にわたって架設され、橋軸方向と交差する方向に間隔をおいて隣り合う２つのトラス桁１７間に、上床版４１および必要に応じ下床版４０を現場打ちコンクリートで構築されて一体化され、かつ外ケーブル３６が配置されて、その外ケーブル３６が、トラス桁１７またはこれらの端部に渡って設けられた橋軸方向両端部の横桁３１に緊張定着され、緊張力が導入されている。【選択図】  図９
2004316107.tif 000002
【特許請求の範囲】
【請求項１】
杭の外側に配置される止水部材を備えたバンド金具が、周方向に間隔を置いて配置されると共に上部に雄ねじ部を有する複数の杆体に支持され、杭係止部を備えた複数の係止支持金具が杭上端部に周方向に間隔を置いて配置されて係止され、前記各杆体の上部が、それぞれ前記係止支持金具に支承される雌ねじ部材に螺合されて、前記バンド金具が、上下方向に位置調整自在に支持され、前記杆体および前記係止支持金具の杭中心からの外形寸法よりも半径方向寸法の大きい杭貫通孔を有する杭用係合部を備えたプレキャストＰＣ版が、杭に挿通されるように配置されると共に前記止水部材に載置されていることを特徴とする水中構造物。
【請求項２】
杆体はＰＣ鋼棒により構成され、そのＰＣ鋼棒の両端部は絶縁材料を介して支承されて、通電不能に絶縁された状態で配置されていることを特徴とする請求項１に記載の水中構造物。
【請求項３】
係止支持金具は、杭の内周面に係合可能な内側係合片と、杭の外周面に係合される内向き振れ止め脚部を備えた係止支持金具であることを特徴とする請求項１または２に記載の水中構造物。
【請求項４】
杭の外側に配置される止水部材を備えたバンド金具を、周方向に間隔を置いて配置されると共に上部に雄ねじ部を有する複数の杆体により支持し、杭係止部を備えた複数の係止支持金具を杭上端部に周方向に間隔をおいて配置して係止し、前記各杆体の上部を、それぞれ前記係止支持金具に支承される雌ねじ部材に螺合して、前記バンド金具を、上下方向に位置調整自在に支持した後、前記杆体および前記係止支持金具の杭中心からの外形寸法よりも半径方向寸法の大きい杭貫通孔を有すると共に杭用係合部を備えたプレキャストＰＣ版を、杭に挿通されるように配置すると共に前記止水部材に載置することを特徴とする水中構造物の構築方法。
【発明の詳細な説明】
【０００１】
【発明の属する技術分野】
本発明は、プレキャストコンクリートＰＣ版を防波堤、導流堤または波除堤など水中構造物およびその構築方法に関する。
【０００２】
【従来の技術】
従来、図１２および図１３に示すように、プレキャストコンクリートＰＣ版２０を使用したカーテン壁体構造物２１等の水中構造物２２として、水底支持地盤２３に立設される杭１に係合する杭貫通孔２４を備えた複数の杭用係合部１１と、その係合部に一体に形成されると共にプレストレスが導入された板体とを備えた短尺のプレキャスト版２０を使用し、前記プレキャスト版２０における前記杭用係合部１１には、複数のプレキャスト版２０をこれらに渡って埋め込み配置されるＰＣ鋼材により連結するための上下方向の貫通孔２５を備えており、このようなプレキャスト版２０を使用した水中構造物２２が知られている（例えば、特許文献１参照。）。
【０００３】
また、杭用係合部１１を有するプレキャスト版２０を杭１に取付ける場合、水底支持地盤２３に所定間隔で二列に杭１を打ち込み、一方の列の杭１に止水部材２６を通し、さらに連結されたプレキャストＰＣ版２０の杭貫通孔２４内に杭１を通し、対向する杭それぞれの上端を鉄骨等からなる連結材２７によって連結すると共に、前記プレキャストＰＣ版２０の上端に予め埋設されている吊りボルト２８を前記連結材２７に固定し、次いで、杭１と杭貫通孔２４との間の間隙に無収縮モルタル２９を充填し、さらに前記連結材２７を埋め込むように上部コンクリート部（上部工）３０を現場打ちコンクリートにより形成したカーテン式防波堤２１等の水中構造物２２の構築工法が知られている（例えば、特許文献１参照。）。
【０００４】
【特許文献１】
登録実用新案第３０２９３６７号公報
【０００５】
【発明が解決しようとする課題】
前記従来の場合には、係合部を有するプレキャストＰＣ版の設置に先立って、予め止水部材を杭に挿通したり、あるいはブラケットを予め杭に取付けたりしているので、施工が煩雑であると共に、杭に取付けるプレキャストＰＣ版の位置が杭側で予め決まっているので、杭の打ち込み施工誤差がある場合、プレキャストＰＣ版の取り付け位置にも施工誤差が生じ、その位置修正が困難で施工の自由度がないという問題がある。
【０００６】
また、プレキャストＰＣ版を水深の中間部に取付ける場合には、ブラケットを杭に予めあるいは水中溶接により取付けるようになるが、このようにすると、施工が煩雑でコストが高くなるという問題がある。
【０００７】
本発明は、杭の打ち込み施工誤差が生じても、係合部を有するプレキャスト版を所定の正確な位置に設置することができ、係合部を有するプレキャスト版の設置に先立って、予め止水部材を杭に挿通したり、あるいはブラケットを予め杭に取付けたりする煩雑な施工をすることなく、係合部を有するプレキャスト版を所定の正確な位置に設置することができ、位置修正が容易で施工の自由度が高い水中構造物およびその構築方法を提供することを目的とする。
【０００８】
【課題を解決するための手段】
前記の従来の問題点を有利に解決するために、第１発明の水中構造物においては、杭１の外側に配置される止水部材２を備えたバンド金具３が、周方向に間隔を置いて配置されると共に上部に雄ねじ部４を有する複数の杆体５に支持され、杭係止部６を備えた複数の係止支持金具７が杭上端部８に周方向に間隔を置いて配置されて係止され、前記各杆体５の上部が、それぞれ前記係止支持金具７に支承される雌ねじ部材９に螺合されて、前記バンド金具３が上下方向に位置調整自在に支持され、前記杆体５および前記係止支持金具７の杭中心からの外形寸法よりも半径方向寸法の大きい杭貫通孔１０を有する杭用係合部１１を備えたプレキャストＰＣ版１２が、杭１に挿通されるように配置されると共に前記止水部材２に載置されていることを特徴とする。
【０００９】
また、第２発明では、第１発明の水中構造物において、杆体はＰＣ鋼棒により構成され、そのＰＣ鋼棒の両端部は絶縁材料を介して支承されて、通電不能に絶縁された状態で配置されていることを特徴とする。
また、第３発明では、第１または第２発明の水中構造物において、係止支持金具は、杭の内周面に係合可能な内側係合片と、杭の外周面に係合される内向き振れ止め脚部を備えた係止支持金具であることを特徴とする。
【００１０】
また、第４発明の水中構造物の構築方法においては、杭１の外側に配置される止水部材２を備えたバンド金具３を、周方向に間隔を置いて配置されると共に上部に雄ねじ部４を有する複数の杆体５により支持し、杭係止部６を備えた複数の係止支持金具７を杭上端部８に周方向に間隔をおいて配置して係止し、前記各杆体５の上部を、それぞれ前記係止支持金具７に支承される雌ねじ部材９に螺合して、前記バンド金具３を、上下方向に位置調整自在に支持した後、前記杆体５および前記係止支持金具７の杭中心からの外形寸法よりも半径方向寸法の大きい杭貫通孔１０を有すると共に杭用係合部１１を備えたプレキャストＰＣ版１２を、杭１に挿通されるように配置すると共に前記止水部材に載置することを特徴とする。
【００１１】
【発明の実施の形態】
次に、この発明を図示の実施形態に基づいて詳細に説明する。
図１〜図８は、図９に示す本発明の一実施形態の前面にカーテン壁１３を有する水中構造物２２を構築する場合の手順を示すものであって、先ず、図１に示すように、水底支持地盤２３に打ち込まれた鋼管杭からなる前方の杭１の外側に、止水部材２を備えたバンド金具３を、杭１の外側において周方向に間隔を置いて配置されると共に上部に雄ねじ部４を有する複数の杆体５および杭上端部８に周方向に間隔を置いて配置されて係止された複数の係止支持金具７を介して支持する。
【００１２】
前記係止支持金具７は、図２に示すように、杭１の内周面に係合可能な内側係合片１４と、これに一体に連設され、杭１の上端面に載置されると共に杆体挿通孔１６を有する支持部１５と、これに一体に設けられる外側板１８とこれに、杭１の外周面に係合される内向き振れ止め脚部１７を外側板１８の内側に突出するように備えた金具であり、前記の内側係合片１４と支持部１５と外側板１８とにより杭係止部６が構成されている。このような杭１の内周面に係合可能な内側係合片１４と、杭１の外周面に係合される内向き振れ止め脚部１７を備えた係止支持金具７を使用すると、係止支持金具７が鋼管杭１の上端部に半径方向にずれることなく所定の位置に設置することができるため、杆体５の振れ止めを防止することができ、バンド金具３を安定状態で支持することができる。
【００１３】
前記の杆体５は、上下両端部に雄ねじ部４を有する雄ねじ部材（例えば、ＰＣ鋼棒，ねじ付異形鋼棒等）とするとよく、好ましくは総ねじ異径ＰＣ鋼棒等の雄ねじ部材であり、さらに好ましくは、全長に渡って樹脂塗装により被覆し防錆処理を施した総ねじ異径ＰＣ鋼棒とするとよく、このように樹脂塗装により被覆した総ねじ異径ＰＣ鋼棒からなる杆体５を使用すると絶縁効果も期待できる。
【００１４】
前記の係止支持金具７は、それ自身単独で、杭１の上端部に係合載置可能な金具であり、その係止支持金具７には、前記杆体５の上部を係止支持金具７の杆体挿通孔１６に間隙を介して挿通した状態で、絶縁用ゴム板１９ａを下面に固着した座がね１９を介してナットからなる雌ねじ部材９が支承され、前記雌ねじ部材９に螺合されて支承される杆体５の下部には、前記の止水部材２およびバンド金具３が支承されている。
【００１５】
前記の絶縁用ゴム板１９ａを下面（座がね１９ｂの場合は上面）に固着した座がね１９（および後記の座がね１９ｂ）は、杭１に杭頭部連結用の連結部材２７を抵抗溶接で固定する場合に、溶接電流により、異径ＰＣ鋼棒からなる杆体５が電触して破断しないようにするために、絶縁用ゴム板１９ａを備えた座がね１９（１９ｂ）とされている（図５ｂ〜ｄ参照）。そして、全長に渡って樹脂塗装により被覆し防錆処理を施した総ねじ異径ＰＣ鋼棒からなる杆体５と組み合わせると、樹脂塗装による絶縁効果も期待できる。
【００１６】
前記のバンド金具３は、図３および図４に示すように、連結フランジ３１を有する半筒状のバンド金具本体３２における前記連結フランジ３１相互がボルト・ナット３３により連結されて円筒状に形成された金具であり、また、前記各バンド金具本体３２には、間隔をおいて平行な一対の縦鋼板３５とその下面に渡って支承鋼板３６を固着したブラケット３４が等角度間隔をおいて設けられ、前記支承鋼板３６には杆体５を間隙を介して挿通させるための縦孔が設けられ、杆体５の下端部の雄ねじ部４には、前記支承鋼板３６の下面に係合する絶縁用ゴム板１９ａを上面に有する座がね１９ｂが介在された状態で雌ねじ部材９ａが螺合されて、前記雌ねじ部材９ａを介して前記バンド金具３等を支承する構造とされている。円筒状に形成されたバンド金具３の内径寸法は、杭１の外径寸法と同じ程度でやや大きく、あるいは若干大きく設定され、雌ねじ部材９を回転させてバンド金具３の杭１に対する上下方向位置を調整可能とされ、そのため雄ねじ部４は長めに設定されている。
【００１７】
前記の各ブラケット３４の上部には、予め杆体挿通孔を備えたプレキャストＰＣ版受け用の鋼製支承プレート３７が載置されて、溶接等により固定され、その支承プレート３７には、杆体挿通用スリットまたは透孔を備えているゴム製スポンジ２ａおよびゴム製板２ｂからなる止水部材２が載置されている。
【００１８】
前記の止水部材２の内径寸法は、杭１の外径寸法よりも若干小さく設定され、支承プレート３７に載置される止水部材２により、杭１の外面と止水部材２の内径側からのモルタルの漏洩を防止する構造とされている。
【００１９】
前記のように、杆体５の上部に複数の係止支持金具７を備え、また杆体５の下部に止水部材２とバンド金具３を備えたユニット化された状態で搬送して、杭１の上端に係止支持金具７を係止するとよい。
【００２０】
鋼管杭からなる杭１に装着された各係止支持金具７の杭中心軸線Ｃからの外形半径寸法ｒは、図５（ａ）に示すように、杭１に装着されるプレキャストＰＣ版１２における杭貫通孔１０の半径寸法Ｒよりも小さな寸法に設定されている。すなわち、プレキャストＰＣ版１２における杭貫通孔１０の半径寸法は、前記杆体５および前記係止支持金具７の杭中心軸線Ｃからの外形半径寸法ｒよりも半径方向寸法Ｒの大きい杭貫通孔１０とされている。
【００２１】
前記のように、各杭１に係止した各係止支持金具７および杆体５を介して支持されたバンド金具３の位置調整は、雌ねじ部材９を適宜回動して、杭１の所定の位置に位置調整する。その後、各支承プレート３７上の止水部材２の上に、杭用係合部１１に半径方向寸法の大きい杭貫通孔１０を有するプレキャストＰＣ版１２を、図６に示すように、これに取付けられた吊り金具４７およびクレーン等からの吊りロープ４８により吊り下げ搬送して、各杭挿通孔１０にそれぞれ各杭１を収納するように載置する。なお、前記プレキャストＰＣ版１２は、図示を省略するが、従来と同様、予め上下方向の寸法が短尺のプレキャストＰＣ版ブロック３８を複数、これらの連結用の貫通孔２５に渡って埋め込み配置された連結用ＰＣ鋼棒により連結して構成するとよい。
【００２２】
なお、図８に示すように、杭１の外周面（または杭貫通孔１０の内周面のいずれか一方に）に、ずれ止め部材あるいは位置決め部材を兼ねたガイド部材４０を取付けておくと、プレキャストＰＣ版１２を所定の位置および所定の姿勢で、バンド金具３上に設置することができる。
【００２３】
前記のように、プレキャストＰＣ版１２を止水部材２に載置した状態で、杭挿通孔１０内と杭１との間に、モルタル（またはコンクリート）３９等を打設し、充填・硬化し、杭１に付着させて一体化する。なお、必要に応じ杭挿通孔１０内と杭１との間をドライ状態でモルタル３９を充填・硬化させることも可能である。
【００２４】
また、杭１の上端部における係止支持金具７間において、前方の鋼管杭１と後方の鋼管杭１に渡って、Ｉ形鋼からなる連結材２７を載置し、各杭１と連結材２７を抵抗溶接により固着して、各杭１に連結材２７を取付ける。この抵抗溶接時に、電触により異径ＰＣ鋼棒からなる杆体５が破断する恐れがあるため、杆体５の上端部に螺合されている雌ねじ部材９と係止支持金具７の間には、絶縁用ゴム板１９ａを有する座がね１９が介在され、かつ杆体５の下端部に螺合されている雌ねじ部材９ａと支承鋼板３６との間には絶縁用ゴム板１９ａを有する座がね１９ｂが介在されて絶縁状態とされ、杆体５に通電されるのを防止し、杆体５が電触により破断する恐れを防止している。このように、絶縁用ゴム板１９ａ等の絶縁材料を介在させることにより、異径ＰＣ鋼棒からなる杆体５を絶縁された状態で配置させることができる。
【００２５】
その後、図９に示すように、前記連結材２７上に支持梁材４１を取付け、前記支持梁材４１およびこれに取付けられた吊り下げ支持部材４２および吊り材４６を介して支持させるように、プレキャストＰＣ版１２上に、プレキャストコンクリート製埋め殺し支保工版４３を設置し、そのプレキャストコンクリート製埋め殺し支保工版４３上に配筋および周囲型枠（図示省略）を設置した後、支持梁材４１下面の連結材２７上面まで、上部工コンクリート４４を打設する。この状態では、前記支持梁材４１を取り外して転用することができるため、これを取り外した後、さらに配筋および周囲型枠（図示省略）を設置した後、上部工コンクリート４５を打設し、カーテン壁体構造物２１からなる水中構造物２２を完成する。
【００２６】
前記のように、プレキャストコンクリート製埋め殺し支保工版４３を使用すると、その重量が比較的重いので、通常の波浪によりプレキャストコンクリート製埋め殺し支保工版４３が浮き上がることがないので、配筋作業および型枠の設置作業を容易に行なうことができると共に、施工精度を向上させることができる。プレキャストコンクリート製埋め殺し支保工版４３を使用しないで、木製の型枠を使用すると、通常の波浪により木製の型枠が浮き上がる場合があるので、施工精度が低下する恐れがあるため、プレキャストコンクリート製埋め殺し支保工版４３を使用することが好ましい。
【００２７】
（第２実施形態）
図１０および図１１は、本発明の第２実施形態を示すものであって、この形態では、水底支持地盤２３に傾斜して打設された前方の鋼管杭１における左右方向に隣り合う各鋼管杭１に、間隔をおいて傾斜した状態に設けられたカーテン版を備えたプレキャストＰＣ版１２が、前記実施形態と同様に取付けられ、また、傾斜して水底支持地盤２３に打設された後方の鋼管杭１における左右方向に隣り合う各鋼管杭１にプレキャストＰＣ版１２が、前記実施形態と同様に取付けられている。
【００２８】
この実施形態の場合、鋼管杭１の中心軸線に平行に杆体５を配置するために、図１０に示すように、鋼管杭１の上端部に杭中心軸線Ｃに対して直角な支承端面４６を設けるために、鋼管杭１の上端部に切り欠き段部４７が設けられているが、その他の構成は、前記実施形態と同様である。
【００２９】
なお、前記各実施形態の場合、プレキャストＰＣ版１２を鋼管杭１に設置する場合、適宜プレキャストＰＣ版１２は、２点吊り等により垂直状態または傾斜した状態で吊り下げ降下されて設置される。
【００３０】
また、杆体５は、予め防食樹脂塗装を施した杆体５であると好ましく、異径ＰＣ鋼棒の杆体５であると、防食樹脂塗装を施しても容易にナット等の雌ねじ部材９，９ａにねじ込み可能で、雌ねじ部材９により位置調整が容易である共に、取付けが容易である。
【００３１】
前記実施形態のように、水底支持地盤２３から所定の距離離れた位置にプレキャストＰＣ版１２を設置するようにすると、プレキャストＰＣ版１２より下方において沖側と陸側の海水交換が可能なカーテン壁式消波機能を有する水域構造物２２となり、第２実施形態のように、前後にカーテン壁１３を有する２重カーテン壁によるカーテン壁式消波機能を有する水域構造物２２となる。
【００３２】
本発明を実施する場合、杭１としては、鋼管杭以外の杭としてもよい。
【００３３】
【発明の効果】
本発明によると、杭の打ち込み施工誤差が生じても、バンド金具の位置調整を容易に行なって、係合部を有するプレキャストＰＣ版の下端部を水中の中間部等所定の正確な位置に設置することができ、従来のように係合部を有するプレキャスト版の設置に先立って、予め止水部材を杭に挿通したり、あるいはブラケットを予め杭に取付けたりする煩雑な施工をすることなく、係合部を有するプレキャスト版を所定の正確な位置に設置することができ、位置修正が容易な施工の自由度が高い水中構造物および水中構造物の構築方法とすることができる。
【００３４】
また、杆体および係止支持金具の杭中心軸線からの外形寸法よりも半径方向寸法の大きい杭貫通孔を有すると共に杭用係合部を備えたプレキャストＰＣ版を使用しているので、予め杭の外側に突出する係止支持金具および杆体を配置しても、容易にプレキャストＰＣ版を設置することができる施工の自由度が高い水中構造物および水中構造物の構築方法とすることができる。
【００３５】
また、杭の内周面に係合可能な内側係合片と、杭の外周面に係合される内向き振れ止め脚部を備えた係止支持金具であると、これを杭の上端部に半径方向にずれることなく所定の位置に設置することができるため、杆体の振れ止めを防止することができ、バンド金具を安定状態で支持することができる。
また、杆体はＰＣ鋼棒により構成され、そのＰＣ鋼棒の両端部は絶縁材料を介して支承されて、通電不能に絶縁された状態で配置されていると、抵抗溶接により連結材を杭に取付ける場合、抵抗溶接時のＰＣ鋼棒の電触を防止し、電触によりＰＣ鋼棒からなる杆体が破断する恐れを排除することができる。
【図面の簡単な説明】
【図１】鋼管杭の上端部に係止した係止支持金具とこれに支承される杆体を介してバンド金具を支持している状態を示す一部縦断側面図である。
【図２】（ａ）は図１の上部の一部を拡大して示す縦断側面図であり、（ｂ）はその正面図、（ｃ）は平面図である。
【図３】図１の下部の一部を拡大して示す一部縦断側面図である。
【図４】（ａ）は図３におけるＡ−Ａ線断面図、（ｂ）は図３におけるＢ−Ｂ線断面図である。
【図５】（ａ）は杭上端部に設置される係止支持金具と連結材とプレキャストＰＣ版における杭貫通孔とのとの関係を示す平面図、（ｂ）〜（ｄ）は絶縁用ゴム板付きの座がねを示すものであって、（ｂ）は平面図、（ｃ）は正面図、（ｄ）は底面図である。
【図６】杭貫通孔を備えたプレキャストＰＣ版を支承プレート上の止水部材に載置し、鋼管杭上端部に連結材を設置している状態を示す縦断側面図である。
【図７】鋼管杭と杭貫通孔内周面との間に、モルタルを充填している状態を示すバンド金具付近の縦断側面図である。
【図８】（ａ）は鋼管杭に取付けられたガイド部材と、プレキャストＰＣ版における杭貫通孔との関係を示す縦断側面図、（ｂ）は（ａ）の横断平面図である。
【図９】本発明の第１実施形態に係る水中構造物を示す一部縦断側面図である。
【図１０】傾斜した状態で水底支持地盤に打ち込まれる鋼管杭の上端部に切り欠き段部を設けた場合における係止支持金具との関係を示すものであって、（ａ）は縦断側面図であり、（ｂ）はその正面図、（ｃ）は平面図である。
【図１１】本発明の第２実施形態に係る水中構造物を示す一部縦断側面図である。
【図１２】本発明の第１実施形態に係る水中構造物におけるプレキャストＰＣ版と杭との取付け部を示す縦断正面図である。
【図１３】（ａ）は短尺のプレキャストＰＣ版ブロックを示す斜視図、（ｂ）は複数のプレキャストＰＣ版ブロックを連結してプレキャストＰＣ版とした場合の一形態を示す斜視図である。
【符号の説明】
１  杭
２  止水部材
３  バンド金具
４  雄ねじ部
５  杆体
６  杭係止部
７  係止支持金具
８  杭上端部
９  雌ねじ部材
９ａ  雌ねじ部材
１０  杭貫通孔
１１  杭用係合部
１２  プレキャストＰＣ版
１３  カーテン壁
１４  内側係合片
１５  支持部
１６  杆体挿通孔
１７  内向き振れ止め脚部
１８  外側板
１９  座がね
１９ａ  絶縁用ゴム板
１９ｂ  座がね
２０  プレキャストコンクリートＰＣ版
２１  カーテン壁体構造
２２  水中構造物
２３  水底支持地盤
２４  杭貫通孔
２５  貫通孔
２６  止水部材
２７  連結材
２８  吊りボルト
２９  無収縮モルタル
３０  上部コンクリート部（上部工）
３１  連結フランジ
３２  バンド金具本体
３３  ボルト
３４  ブラケット
３５  縦鋼板
３６  支承鋼板
３７  支承プレート
３８  短尺のプレキャストＰＣ版ブロック
３９  モルタル
４０  ガイド部材
４１  支持梁材
４２  吊り下げ支持部材
４３  プレキャストコンクリート製埋め殺し支保工版
４４  上部工コンクリート
４５  上部工コンクリート
４６  吊り材
４７  吊り金具
４８  吊りロープ
【図１】
2004316107.tif 000003
【図２】
2004316107.tif 000004
【図３】
2004316107.tif 000005
【図４】
2004316107.tif 000006
【図５】
2004316107.tif 000007
【図６】
2004316107.tif 000008
【図７】
2004316107.tif 000009
【図８】
2004316107.tif 000010
【図９】
2004316107.tif 000011
【図１０】
2004316107.tif 000012
【図１１】
2004316107.tif 000013
【図１２】
2004316107.tif 000014
【図１３】
2004316107.tif 000015